(57)【要約】【課題】洗浄槽や食器洗浄機本体の重量を削減して使い勝手や設置性の良い食器洗浄機を提案すること。【解決手段】前方に開口する略四角形断面に形成された食器洗浄機本体１と、食器洗浄機本体１の両内側面に取り付けられた両固定レール３と、両固定レール３にそれぞれ滑動自在に装着された両可動レール４と、上方に開口部を有し且つ両外側面に両可動レール４を取り付ける樹脂製の洗浄槽２とを備え、両可動レール４を、洗浄槽２の略上部に配置することにより、食器洗浄機本体１の重量を軽減しながら、洗浄槽２と、洗浄槽２を食器洗浄機本体１に収納した時に洗浄槽２の上部を塞ぐ中フタ１９とのシール性を向上させることができる。【選択図】図１
2010187961.tif 000002
【特許請求の範囲】
【請求項１】
前方に開口する略四角形断面に形成された食器洗浄機本体と、前記食器洗浄機本体の両内側面に取り付けられた両固定レールと、前記両固定レールにそれぞれ滑動自在に装着された両可動レールと、上方に開口部を有し且つ両外側面に前記両可動レールを取り付ける樹脂製の洗浄槽とを備え、前記両可動レールは、前記洗浄槽の略上部に配置された食器洗浄機。
【請求項２】
洗浄槽は、上部にフランジ部を備え、少なくとも両可動レールが配置される前記フランジ部に略下方に向けて側壁を設けた請求項１記載の食器洗浄機。
【発明の詳細な説明】
【技術分野】
【０００１】
本発明は一般家庭で食器類や調理類を洗浄する食器洗浄機に関するものである。
【背景技術】
【０００２】
従来、この種の食器洗浄機は図５および図６および図７に示すような構成をしている。以下、その構成について説明する。
【０００３】
図５および図６および図７に示すように、前方に開口する食器洗浄機本体１（固定側箱状体）内に、上方に開口する洗浄槽２（可動側箱状体）が収納され、洗浄槽２は、食器洗浄機本体１の両内側面１ａに取り付けられた両固定レール３と、両固定レール３にそれぞれ滑動自在に装着された両可動レール４とから構成されるスライドレール５により前後方向に移動可能で、食器洗浄機本体１の前方開口部から引き出すことができるように構成されている。
【０００４】
また、洗浄槽２は、樹脂成型によって形成され、スライドレール５は、洗浄槽２の略底部に配置されるものである。
【０００５】
この食器洗浄機本体１は、キッチンキャビネットＡ内にビルトインするのが基本的な設置形態であるが、食器洗浄機本体１を設置場所の台上に固定して使用することもできる。
【０００６】
洗浄槽２は、内部に食器６を収納する食器かご７を備えており、洗浄槽２内には、洗浄槽２内の洗浄水を加熱する加熱手段８（例えばシーズヒータなど）を設けるとともに、洗浄手段９（例えば洗浄ポンプ）が洗浄水を加圧して、洗浄ノズル１０の噴射孔１１より洗浄水を噴射し食器かご７に収納した食器６を洗浄するように構成している。給水弁１２は水道水を洗浄槽２に供給するものである。洗浄槽２内の洗浄水は排水手段１３により排水される。
【０００７】
フィルタ１４は洗浄槽２に設け、洗浄行程およびすすぎ行程において、残菜（食器６に汚れとして付着していた食品を残菜という）を捕集する。送風手段１５は、乾燥行程で動作して食器洗浄機本体１外の空気を洗浄槽２内に送風し、排気口１６より排気することにより、洗浄槽２内の食器６を乾燥させる。
【０００８】
温度検知手段１７は、洗浄槽２を介して、洗浄水、空気および加熱手段８の温度を検知するものである。
【０００９】
制御装置１８は、給水弁１２が洗浄槽２内に洗浄水を供給するのを制御したり、温度検知手段１７の出力に基づいて加熱手段８を制御したりするとともに、洗浄手段９、給水弁１２、排水手段１３、送風手段１５等を制御して、洗浄、すすぎ、乾燥の一連の行程を逐次制御するよう構成している。
【００１０】
なお、中フタ１９は、図５および図６に示すように、周囲にパッキン２０が備えられており、洗浄槽２が食器洗浄機本体１の所定の位置に収納されたときに、パッキン２０と洗浄槽２の上部２Ａ周囲とが接触して、洗浄槽２の上方の開口部を塞ぐものである。そして、洗浄槽２と中フタ１９との接触部に洗浄水が供給されてもパッキン２０により洗浄水が洗浄槽２外へ出て行くのを防止することができる。
【００１１】
上記構成において動作を説明すると、利用者が食器洗浄機本体１から洗浄槽２を引き出
し、食器６を食器かご７に配置し、洗浄槽２に収納して洗剤を入れた後、洗浄槽２を食器洗浄機本体１内に収納する。そして、運転を開始すると、まず排水手段１３が動作して、前回の運転等で洗浄槽２内に残っている洗浄水（残水と呼ぶ）を食器洗浄機本体１外へ排出する。
【００１２】
次に、給水弁１２が動作して洗浄水を洗浄槽２に供給する。所定の洗浄水が供給されると、洗浄手段９が洗浄水を加圧し、洗剤とともに洗浄ノズル１０に設けた噴射孔１１から洗浄水が噴射される。こうして洗浄行程が行われる。この洗浄行程では洗浄槽２内に設けた加熱手段８に通電して、洗浄水を洗浄行程での所定温度まで加熱する。
【００１３】
所定時間の洗浄行程を経ると、次に食器６から洗い落とされた汚れを含む洗浄水を、排水手段１３により食器洗浄機本体１外へ排出する。
【００１４】
引き続いて、新たに洗浄水を供給して洗浄ノズル１０に設けた噴射孔１１から再び噴射して、洗剤や残菜等で汚れた食器６をすすぐ行程を実行する。
【００１５】
このすすぎ行程を終えると、洗浄水を再び食器洗浄機本体１外へ排出する。このすすぎ行程は連続して数回繰り返される。なお、洗浄およびすすぎ行程において、残菜は洗浄槽２に設けたフィルタ１４内に捕集される。所定回数のすすぎ行程が終了すると乾燥行程が開始する。この行程では、送風手段１５が動作して食器洗浄機本体１外の空気が洗浄槽２内へ送り込まれる。送り込まれた空気は加熱手段８により加熱された後、食器６を乾燥させて排気口１６より食器洗浄機本体１外へ排出される。乾燥行程終了後、運転を終了する。
【００１６】
なお、すすぎ行程のうち、最後に行われるすすぎ行程では、食器６の乾燥性能を向上させるために、洗浄水が約７０℃まで加熱される加熱すすぎ行程を行ってもよい。
【特許文献１】特許第３４８５７７２号公報
【発明の開示】
【発明が解決しようとする課題】
【００１７】
しかしながら、図５および図６に示されるような従来の食器洗浄機本体１の構成では、以下のような課題がある。
【００１８】
洗浄槽２は、図５および図６に示すように、上方に開口部を有し、食器洗浄機本体１の前方に引き出される構成のため、洗浄槽２に鉄やＳＵＳ等の金属部品で形成されるスライドレール５やシーズヒータ等で構成される加熱手段８、誘導モータ等を有した洗浄ポンプ等で構成される洗浄手段９、隅取モータ等を有した排水ポンプ等で構成される排水手段１３、隅取モータ等を有した多翼ファンで構成される送風手段１５等の質量が数１００ｇ〜数ｋｇまである部品を取り付ける必要がある。そのため、洗浄槽２は、これらの部品が取り付けられるようにねじボスや穴、取り付け面等を形成する必要があり、形状を自由に形成することができるポリプロピレンやＡＢＳ、ポリアセタール、ナイロン等の樹脂製の材料で形成されている。
【００１９】
一方で、食器の洗浄・乾燥を行う運転シーケンスでは、洗剤の酵素成分を有効活用したり、食器６から油分を除去しやすくするために、洗浄行程では、洗浄水を加熱手段８により約６０℃に加熱したり、乾燥性能を向上させるために、最後のすすぎ行程で、洗浄水を約７０℃に加熱したりする。
【００２０】
そのため、洗浄槽２も６０℃や７０℃に加熱されたりするが、洗浄槽２は樹脂で成型されているため、６０℃や７０℃まで加熱されると熱変形が生じ、洗浄槽２の上部２Ａが外
側に広がったりしてしまう恐れがある。
【００２１】
洗浄槽２の上部２Ａが外側に広がると、図８に示すように、洗浄槽２の上部２Ａと中フタ１９のパッキン２０とのシール部分に隙間Ｈが生じ、その隙間Ｈから洗浄水が洗浄槽２外へ漏れ出してしまい、食器洗浄機本体１の底部に洗浄水が溜まってしまって、洗浄行程やすすぎ行程で所定の量よりも少ない量の洗浄水で洗浄およびすすぎを行うことになるので、食器の洗浄不良やすすぎ不良が生じてしまうという問題が発生する。
【００２２】
上記問題を解決するために、すなわち、洗浄槽２の上部２Ａが熱変形しても外側に広がって中フタ１９のパッキン２０とのシール部分に隙間Ｈが生じないように、洗浄槽２の上部２Ａ近傍に、図９（ａ）および図９（ｂ）に示すような鉄やＳＵＳ等の金属部品で構成される補強板２１を取り付けて対応している。
【００２３】
しかしながら、図９（ａ）および図９（ｂ）に示す構成では、補強板２１を洗浄槽２に取り付けるため、洗浄槽２の重量が増加するので、洗浄槽２の出し入れが重くなって使い勝手が悪くなったり、食器洗浄機本体１の重量が増加して、食器洗浄機本体１の取り付けが困難になったりするという課題を有している。
【００２４】
本発明は上記従来の課題を解決するもので、洗浄槽や食器洗浄機本体の重量を削減して使い勝手や設置性の良い食器洗浄機を提案することを目的としている。
【課題を解決するための手段】
【００２５】
前記従来の課題を解決するため、本発明の食器洗浄機は、前方に開口する略四角形断面に形成された食器洗浄機本体と、食器洗浄機本体の両内側面に取り付けられた両固定レールと、両固定レールにそれぞれ滑動自在に装着された両可動レールと、上方に開口部を有し且つ両外側面に両可動レールを取り付ける樹脂製の洗浄槽とを備え、両可動レールを洗浄槽の略上部に配置したものである。
【００２６】
これにより、樹脂成型によって形成される洗浄槽の略上部に、鉄やＳＵＳ等の金属部品で形成される両可動レールを含むスライドレールを配置することにより、両可動レールにより洗浄槽の上部は形状が保持されるので、洗浄行程や加熱すすぎ行程において、洗浄水が６０℃や７０℃等に加熱されることにより洗浄槽が６０℃や７０℃等に加熱されて熱変形して、洗浄槽の上部が外側に広がろうとしても、両可動レールにより広がることができず、その結果、洗浄槽の上部と、洗浄槽が食器洗浄機本体に収納された時に洗浄槽の上部を塞ぐ中フタのパッキンとのシール部分に隙間が生じることを防止することができ、洗浄槽外へ洗浄水が漏れることを防止することができる。
【発明の効果】
【００２７】
本発明の食器洗浄機は、請求項１の構成にしたから、両可動レールにより洗浄槽の上部は形状が保持されるので、洗浄槽が熱変形して洗浄槽の上部が外側に広がろうとしても、両可動レールにより広がることができず、洗浄槽の上部と、洗浄槽が食器洗浄機本体に収納された時に洗浄槽の上部を塞ぐ中フタのパッキンとのシール部分に隙間が生じることを防止することができ、洗浄槽外へ洗浄水が漏れることを防止することができる。
【００２８】
それゆえ、従来の構成のように、洗浄槽の上部近傍に鉄やＳＵＳ等の金属部品からなる補強板を別途設ける必要がないので、洗浄槽の重量を軽減することができ、洗浄槽の出し入れを容易にして使い勝手を改善することができるとともに、食器洗浄機本体自身の重量も軽減することができるので、食器洗浄機本体の取り付けを容易にすることができる。
【発明を実施するための最良の形態】
【００２９】
第１の発明は、前方に開口する略四角形断面に形成された食器洗浄機本体と、食器洗浄機本体の両内側面に取り付けられた両固定レールと、両固定レールにそれぞれ滑動自在に装着された両可動レールと、上方に開口部を有し且つ両外側面に両可動レールを取り付ける樹脂製の洗浄槽とを備え、両可動レールを洗浄槽の略上部に配置したものであり、樹脂成型によって形成される洗浄槽の略上部に、鉄やＳＵＳ等の金属部品で形成される両可動レールを含むスライドレールを配置することにより、両可動レールにより洗浄槽の上部は形状が保持されるので、洗浄行程や加熱すすぎ行程において、洗浄水が６０℃や７０℃等に加熱されることにより洗浄槽が６０℃や７０℃等に加熱されて熱変形して、洗浄槽の上部が外側に広がろうとしても、両可動レールにより広がることができず、その結果、洗浄槽の上部と、洗浄槽が食器洗浄機本体に収納された時に洗浄槽の上部を塞ぐ中フタのパッキンとのシール部分に隙間が生じることを防止することができ、洗浄槽外へ洗浄水が漏れることを防止することができる。
【００３０】
それゆえ、従来の構成のように、洗浄槽の上部近傍に鉄やＳＵＳ等の金属部品からなる補強板を別途設ける必要がないので、洗浄槽の重量を軽減することができ、洗浄槽の出し入れを容易にして使い勝手を改善することができるとともに、食器洗浄機本体自身の重量も軽減することができるので、食器洗浄機本体の取り付けを容易にすることができる。
【００３１】
第２の発明は、特に、第１の発明の洗浄槽は、上部にフランジ部を備え、少なくとも両可動レールが配置されるフランジ部に略下方に向けて側壁を設けたものであり、洗浄槽の上部の断面積が増加し、断面二次モーメントが増加するので、洗浄槽の上部の強度を向上させることができる。それゆえ、洗浄槽が６０℃や７０℃等に加熱されて熱変形して、洗浄槽の上部が外側に広がろうとして洗浄槽の上部と中フタのパッキンとのシール部分に隙間が生じることをより一層防止することができ、洗浄槽外へ洗浄水が漏れることをより一層防止することができる。
【００３２】
同時に、両可動レールを側壁により洗浄槽の上部内に収納することができるので、使用者が洗浄槽を食器洗浄機本体から出し入れした時や濡れた食器を洗浄槽から出し入れした時等に、洗浄水や水滴、汚物等が両可動レールに付着して、両可動レールがさびたり汚物が挟まったりして両可動レールの滑動性が低下したりすることを防止することができる。
【実施例】
【００３３】
以下、本発明の第１の実施例について、図面を参照しながら説明する。なお、従来例と同じ構成のものは同一符号を付して説明を省略する。
【００３４】
（実施例１）
図１および図２に示す前方に開口する食器洗浄機本体１（固定側箱状体）において、その内側に上方に開口する洗浄槽２（可動側箱状体）が収納されている。また、洗浄槽２は、食器洗浄機本体１の両内側面に取り付けられた両固定レール３と、両固定レール３にそれぞれ滑動自在に装着された両可動レール４とから構成されるスライドレール５により前後方向に移動可能に構成されており、食器洗浄機本体１の前方開口部から引き出すことができる。
【００３５】
洗浄槽２は、樹脂成型によって形成され、スライドレール５は、図１に示すように、洗浄槽２の略上部に配置されるものである。
【００３６】
また、スライドレール５には、洗浄槽２や洗浄槽２内に配置される食器６類、洗浄行程で供給される洗浄水等の荷重が加わるので、鉄やＳＵＳ等の金属部品で形成されるものである。
【００３７】
食器洗浄機本体１は、キッチンキャビネットＡ内にビルトインするのが基本的な設置形態であるが、食器洗浄機本体１を設置場所の台上に固定して使用することも可能である。
【００３８】
洗浄槽２は、内部に食器６を配置する食器かご７が収納される。また、洗浄槽２内には、洗浄水を加熱する加熱手段８（例えばシーズヒータなど）が設けられており、洗浄槽２の下面に配置された洗浄手段９により洗浄水が加圧され、洗浄槽２内に設けられた洗浄ノズル１０の噴射孔１１より噴射されるものである。洗浄槽２内の洗浄水は給水弁１２から洗浄槽２に給水され、排水手段１３により排水されるものである。
【００３９】
フィルタ１４は洗浄槽２に設けられており、食器６を洗浄する洗浄行程および食器６をすすぐすすぎ行程で、残菜（食器６に汚れとして付着していた食品を残菜という）を捕集する。
【００４０】
送風手段１５は、乾燥行程で動作して、食器洗浄機本体１外の空気を洗浄槽２内に供給し、排気口１６より排気することで、洗浄槽２内の食器６を乾燥させる。
【００４１】
温度検知手段１７は、洗浄槽２内の洗浄水、空気および加熱手段８の温度を検知するものである。
【００４２】
制御装置１８は、給水弁１２が洗浄槽２内に洗浄水を供給するのを制御したり、温度検知手段１７の出力に基づいて加熱手段８を制御したりするとともに、洗浄手段９、給水弁１２、排水手段１３、送風手段１５等を制御して、洗浄、すすぎ、乾燥の一連の行程を逐次制御するよう構成している。
【００４３】
なお、中フタ１９は、図１および図２において、周囲にパッキン２０が設けられていて、洗浄槽２が食器洗浄機本体１の所定の位置に収納されたときに、パッキン２０と洗浄槽２の上部２Ａ周囲とが接触して、洗浄槽２の上方の開口部を塞ぐものである。そして、洗浄槽２と中フタ１９との接触部に洗浄水が供給されてもパッキン２０により洗浄水が洗浄槽２外へ出て行くのを防止することができる。
【００４４】
上記構成において動作を説明すると、利用者が食器洗浄機本体１から洗浄槽２を引き出し、食器かご７に食器６を配置し、洗浄槽２に収納して洗剤を入れた後、洗浄槽２を食器洗浄機本体１内に収納する。そして、運転を開始すると、排水手段１３が動作して、前回の運転等で洗浄槽２内に残っている洗浄水（残水と呼ぶ）を食器洗浄機本体１外へ排出する。
【００４５】
次に、給水弁１２が動作して所定量の洗浄水を洗浄槽２に供給する。
【００４６】
所定量の洗浄水が供給されると、洗浄手段９により洗浄水が加圧され、洗剤とともに洗浄ノズル１０に設けた噴射孔１１から洗浄水が噴射される。こうして洗浄行程が行われる。この洗浄行程では洗浄槽２内に設けた加熱手段８に通電して、洗浄水を洗浄所定温度（例えば６０℃）まで加熱する。
【００４７】
洗浄行程が所定時間行われると、排水手段１３が食器６から洗い落とされた汚れを含む洗浄水を食器洗浄機本体１外へ排出する。そして、新たに給水弁１２が洗浄水を供給し、洗浄ノズル１０に設けた噴射孔１１から再び洗浄水が噴射されて、洗剤や残菜等で汚れた食器６をすすぐ行程を実行する。
【００４８】
このすすぎ行程が終わると、洗浄水を再び食器洗浄機本体１外へ排出する。このすすぎ行程は連続して数回繰り返される。洗浄およびすすぎ行程では、残菜は洗浄槽２に設けた
フィルタ１４内に捕集される。
【００４９】
所定回数のすすぎ行程が終了すると乾燥行程が開始する。この行程では、送風手段１５が動作して食器洗浄機本体１外の空気が洗浄槽２内へ送り込まれる。送り込まれた空気は加熱手段８により加熱された後、食器６を乾燥させて排気口１６より食器洗浄機本体１外へ排出される。乾燥行程終了後、運転を終了する。
【００５０】
なお、複数回行われるすすぎ行程のうち、少なくとも１回は洗浄水を加熱手段８により加熱しながら食器３をすすぐ加熱すすぎ行程であってもよい（このとき洗浄水は例えば約７０℃まで加熱されるものであってもよい）。
【００５１】
このように構成された本実施例によれば、図１および図２に示すように、材質がポリプロピレンやＡＢＳ、ポリアセタール、ナイロン等の樹脂成型によって形成される洗浄槽２の略上部に、鉄やＳＵＳ等の金属部品で形成されるスライドレール５を配置することにより、スライドレール５や両可動レール４により洗浄槽２の上部２Ａは形状が保持されるので、洗浄行程や加熱すすぎ行程において、洗浄水が６０℃や７０℃等に加熱されることにより洗浄槽２が６０℃や７０℃等に加熱されて熱変形して、洗浄槽２の上部２Ａが外側に広がろうとしても、スライドレール５により広がることができず、その結果、洗浄槽２の上部２Ａと中フタ１９のパッキン２０とのシール部分に隙間Ｈが生じることを防止することができ、洗浄槽２外へ洗浄水が漏れることを防止することができる。
【００５２】
それゆえ、従来の構成のように、洗浄槽２の上部２Ａ近傍に鉄やＳＵＳ等の金属部品からなる補強板２１を別途設ける必要がないので、洗浄槽２の重量を軽減することができ、洗浄槽２の出し入れを容易にして使い勝手を改善することができるとともに、食器洗浄機本体１自身の重量も軽減することができるので、食器洗浄機本体１の取り付けを容易にすることができる。
【００５３】
それから、図１、図２および図３に示すように、洗浄槽２の上部２Ａのフランジ部２２のうち、スライドレール５のうち少なくとも両可動レール４が配置される左右のフランジ部２３に略下方に向けて側壁２４を設けることにより、図４（ａ）および図４（ｂ）に示すように、洗浄槽２の上部２Ａの断面積がα１からα２へと増加し、断面二次モーメントが増加するので、洗浄槽２の上部２Ａの強度を向上させることができる。それゆえ、洗浄槽２が６０℃や７０℃等に加熱されて熱変形して、洗浄槽２の上部２Ａが外側に広がろうとして洗浄槽２の上部２Ａと中フタ１９のパッキン２０とのシール部分に隙間Ｈが生じることを、より一層防止することができ、洗浄槽２外へ洗浄水が漏れることをより一層防止することができる。
【００５４】
同時に、両可動レール４を側壁２４により洗浄槽２の上部２Ａ内に収納することができるので、使用者が洗浄槽２を食器洗浄機本体１から出し入れした時や濡れた食器６を洗浄槽２から出し入れした時等に、洗浄水や水滴、汚物等が両可動レール４に付着して、両可動レール４がさびたり汚物が挟まったりして両可動レール４の滑動性が低下したりすることを防止することができる。
【産業上の利用可能性】
【００５５】
以上のように、本発明にかかる食器洗浄機は、食器洗浄機本体の重量を軽減しながら、洗浄槽と、洗浄槽を食器洗浄機に収納した時に洗浄槽の上部を塞ぐ中フタとのシール性を向上させることができるので、家庭用の食器洗浄機だけでなく、業務用の食器洗浄機の用途にも適用できる。
【図面の簡単な説明】
【００５６】
【図１】本発明の実施例の食器洗浄機の前後方向の縦断面図
【図２】同食器洗浄機の左右方向の縦断面図
【図３】同食器洗浄機の両可動レール近傍の部分断面図
【図４】（ａ）従来の食器洗浄機のスライドレール近傍の洗浄槽の部分断面図（ｂ）本発明の実施例の食器洗浄機のスライドレール近傍の洗浄槽の部分断面図
【図５】従来の食器洗浄機の前後方向の縦断面図
【図６】同食器洗浄機の左右方向の縦断面図
【図７】同食器洗浄機のスライドレール近傍の部分拡大図
【図８】同食器洗浄機の洗浄槽の温度が上昇したときの洗浄槽と中フタとの関係を示す図
【図９】（ａ）同食器洗浄機の洗浄槽に補強板を配置した図（ｂ）同食器洗浄機の補強板の断面図
【符号の説明】
【００５７】
１  食器洗浄機
２  洗浄槽
３  両固定レール
４  両可動レール
２２、２３  フランジ部
２４  側壁
【図１】
2010187961.tif 000003
【図２】
2010187961.tif 000004
【図３】
2010187961.tif 000005
【図４】
2010187961.tif 000006
【図５】
2010187961.tif 000007
【図６】
2010187961.tif 000008
【図７】
2010187961.tif 000009
【図８】
2010187961.tif 000010
【図９】
2010187961.tif 000011